(57)【特許請求の範囲】
【請求項１】
管理対象とする薬品の容器を含めた重量を当該容器内の薬品名を特定できる情報に対応付けて複数記憶した記憶手段と、
検索対象とする薬品の容器を含めた重量を計測する計測手段と、
前記記憶手段に記憶されている複数の重量から前記計測手段によって計測された重量と同一又は近傍の重量を検索する検索手段と、
前記検索手段によって検索された重量に対応する薬品名を表示する表示手段と、
前記検索対象とする薬品の使用を終了する際に前記計測手段によって計測された重量を前記記憶手段に記憶されている当該薬品の重量として記憶する手段と、
を備えた薬品管理装置。
【請求項２】
前記表示手段によって複数の薬品名が表示された場合に、表示された複数の薬品名から少なくとも１つを選択するための指示を入力する指示入力手段
を更に備えた請求項１記載の薬品管理装置。
【請求項３】
前記検索手段は、前記計測手段によって時系列に計測された重量のうちの所定サンプリング数分について平均を取ることにより重量を推定して前記検索を行う
請求項１又は請求項２記載の薬品管理装置。
【請求項４】
前記表示手段は、複数の薬品名を表示する場合に各薬品の分子量も表示する
請求項１乃至請求項３の何れか１項記載の薬品管理装置。
【発明の詳細な説明】
【０００１】
【発明の属する技術分野】
本発明は、薬品管理装置に係り、より詳しくは、試薬や医薬品等の薬品の管理を簡易に行うことができる薬品管理装置に関する。
【０００２】
【従来の技術および発明が解決しようとする課題】
学校での教育、企業での研究・開発・製造時、薬局等においては、目的に応じて種々の試薬、医薬品等の薬品を適宜使用するため、薬品の在庫量や使用量等を管理することは非常に手間のかかることである。
【０００３】
これを簡便にするために、従来の薬品管理システムでは、各薬品の容器に容器内の薬品を識別するためのバーコードが印刷されたラベルを貼り付けておき、これをバーコードリーダで読み取ることによって薬品を識別する手法が用いられている。しかしながら、この手法では、薬品識別用のバーコードラベルを作成しなければならず費用がかかる、バーコードラベルのバーコード部が薬品の付着等によって汚れるとバーコードを読み取ることができない、バーコードラベルを貼り付けることができる薬品しか管理することができない等の問題点があった。
【０００４】
また、薬品の払出しを管理するシステムとして、薬品を収納してある収納ボックスにバーコードを形成しておき、該バーコードを読み取ることによって薬品を識別する技術（特開平８−７０１４号公報参照）もあるが、この技術では、収納ボックスにバーコードを形成するため、容器にバーコードラベルを貼り付けることができる薬品しか管理することができないという問題点はないものの、バーコードを形成するために費用がかかる、バーコードが汚れるとバーコードを読み取ることができない、という問題点は依然残る。
【０００５】
また、最近ではＩＤタグを各薬品の容器に添付しておき、該ＩＤタグに基づいて薬品を識別するシステムが実用化されている。しかしながら、このシステムでは、ＩＤタグの単価が数十円と高価であり、多数の薬品を管理する場合にはコストが著しく高くなる、ＩＤタグを添付することができる薬品しか管理することができない等の問題点があった。
【０００６】
一方、医薬品の在庫管理を行う技術として、特開平９−３４９４２号公報に記載の技術では、医薬品を収納する収納部の底部に予め設定した重量以下となったときにオン状態となるスイッチ信号を出力するセンサを配設しておき、該センサの状態に基づいて在庫の有無を検出して表示している。しかしながら、この技術では、多数の収納部の各々に上記センサを配設する必要があり、コストが高い、という問題点があった。
【０００７】
本発明は上記問題点を解消するために成されたものであり、低コストに薬品を管理することができる薬品管理装置を提供することを目的とする。
【０００８】
【課題を解決するための手段】
上記目的を達成するために、本発明に係る薬品管理装置は、管理対象とする薬品の容器を含めた重量を当該容器内の薬品名を特定できる情報に対応付けて複数記憶した記憶手段と、検索対象とする薬品の容器を含めた重量を計測する計測手段と、前記記憶手段に記憶されている複数の重量から前記計測手段によって計測された重量と同一又は近傍の重量を検索する検索手段と、前記検索手段によって検索された重量に対応する薬品名を表示する表示手段と、前記検索対象とする薬品の使用を終了する際に前記計測手段によって計測された重量を前記記憶手段に記憶されている当該薬品の重量として記憶する手段と、を備えている。
【０００９】
すなわち、本発明者の鋭意検討の結果、包装量が同一とされる未使用薬品の容器を含めた重量が各々異なること、また、包装量の一部が使用された薬品の容器を含めた重量も０．１％以下程度の精度で重量が一致することは希であることが確認され、これらのことによって薬品の容器を含めた重量に基づいて薬品を高精度に識別できることが見出された。
【００１０】
そこで、本発明に係る薬品管理装置では、記憶手段によって、管理対象とする薬品の容器を含めた重量を当該容器内の薬品名を特定できる情報に対応付けて複数記憶しておき、計測手段によって検索対象とする薬品の容器を含めた重量を計測し、検索手段によって上記記憶手段に記憶されている複数の重量から上記計測手段によって計測された重量と同一又は近傍の重量を検索し、表示手段により、検索手段によって検索された重量に対応する薬品名を表示し、更に前記検索対象とする薬品の使用を終了する際に前記計測手段によって計測された重量を前記記憶手段に記憶されている当該薬品の重量として記憶している。ここで、上記薬品には、試薬、医薬品等の全ての薬が含まれる。また、上記計測手段としては、電子天秤等のあらゆる重量計測器を適用することができる。更に、上記表示手段としては、ブラウン管ディスプレイ、液晶ディスプレイ、ＥＬディスプレイ等のあらゆる表示装置を適用することができる。
【００１１】
このように、請求項１に記載の薬品管理装置によれば、管理対象とする薬品の容器を含めた重量を当該容器内の薬品名を特定できる情報に対応付けて複数記憶しておき、検索対象とする薬品の容器を含めた重量を計測して、上記記憶しておいた複数の重量から、計測した重量と同一又は近傍の重量を検索し、該重量に対応する薬品名を表示し、前記検索対象とする薬品の使用を終了する際に計測した前記重量を、記憶されている当該薬品の重量として記憶しているので、バーコードラベルやＩＤタグ等の薬品を識別するための部材を要することなく、ユーザは表示された薬品名を参照することによって検索対象とする薬品の薬品名を得ることができ、低コストに薬品を管理することができる。
【００１２】
また、請求項１に記載の薬品管理装置によれば、最低１つの計測手段によって計測される各薬品の重量に基づいて多数の薬品の在庫管理が可能となるので、各薬品の収納部の各々に重量検出用のセンサを配設する技術に比較して、低コストに薬品を管理することができる。
【００１３】
なお、上述したように、一部が使用された薬品の容器を含めた重量は一致することが希にあるため、本発明の検索手段によって複数の薬品が検索される場合もある。
【００１４】
この場合等に対応するために、請求項２に記載の発明のように、前記表示手段によって複数の薬品名が表示された場合に、表示された複数の薬品名から少なくとも１つを選択するための指示を入力する指示入力手段を更に備えることが好ましい。
【００１５】
この発明によれば、表示手段によって複数の薬品名が表示された場合には、表示された複数の薬品名から少なくとも１つを選択するための指示が指示入力手段によって入力される。これによって、検索結果が複数存在する場合であってもユーザによる判断に基づいて確実に検索対象とする薬品を特定することができる。
なお、本発明の前記検索手段は、請求項３に記載の発明のように、前記計測手段によって時系列に計測された重量のうちの所定サンプリング数分について平均を取ることにより重量を推定して前記検索を行うものとしてもよい。
また、本発明の前記表示手段は、請求項４に記載の発明のように、複数の薬品名を表示する場合に各薬品の分子量も表示するものとしてもよい。
【００１６】
【発明の実施の形態】
以下、図面を参照して、本発明の実施の形態について詳細に説明する。
【００１７】
〔第１実施形態〕
まず、図１及び図２を参照して、本第１実施形態に係る薬品管理システム１０Ａの構成について説明する。
【００１８】
図１に示すように、本第１実施形態に係る薬品管理システム１０Ａは、本システム全体の動作を制御する制御部１２Ａ、ユーザからの各種情報等の入力に使用するキーボード１４及びマウス１６、本システムによる処理結果や各種メニュー、メッセージ等を表示するディスプレイ１８、薬品の重量を計測する電子天秤４０を含んで構成されている。
【００１９】
図２に示すように、制御部１２ＡはＣＰＵ（中央処理装置）２２を備えており、ＣＰＵ２２には、後述する薬品管理データや薬品リスト等の各種データのデータベース等が記憶されているハードディスク２０、各種制御プログラムやデータ等が記憶されたＲＯＭ２４、及びＣＰＵ２２による各種プログラムの実行時におけるワークエリア等として用いられるＲＡＭ２６が接続されている。
【００２０】
また、ＣＰＵ２２には、インタフェース部（Ｉ／Ｆ）２８を介してキーボード１４、マウス１６、及び電子天秤４０が、表示制御部３０を介してディスプレイ１８が、各々接続されている。なお、電子天秤４０は、電子天秤４０の上部に設けられた計量板上に載置されたものの重量を計測して、該計測の結果得られた重量を示すデータ（以下、重量データという）を制御部１２Ａに送信するように構成されている。
【００２１】
ここで、ハードディスク２０に記憶されている各種データについて説明する。本実施の形態におけるハードディスク２０には、薬品関係データ、薬品管理データ、及び薬品リストの３種類のデータがデータベース形式に記憶されている。まず、図３を参照して、薬品関係データについて説明する。
【００２２】
同図に示すように、本実施の形態に係る薬品関係データは、管理対象とする薬品に関するデータとして、薬品毎に「日本名」、「英語名」、「ＣＡＳ番号」、「劇毒物の分類」、「消防法の分類」、「物性データ」等のデータを記述したものである。なお、本実施の形態では「物性データ」として比重及び分子量を適用している。
【００２３】
次に、図４を参照して、薬品管理データについて説明する。同図に示すように、本実施の形態に係る薬品管理データは管理対象とする薬品の管理に関するデータとして、「使用許可者」、及び管理対象とする薬品毎の「保管場所」を記述したものである。
【００２４】
次に、図５を参照して、薬品リストについて説明する。同図に示すように、本実施の形態に係る薬品リストは、薬品毎に、「購入日」、「含有量」、「重量」、及び「使用状態」を記述したものである。なお、本実施の形態では「使用状態」として、現在使用中であるか否かを示す「使用／不使用」情報と、当該薬品の使用履歴として使用時毎に「使用日付」、「使用量」、及び「使用者」の各情報が記録されるように構成されている。
【００２５】
薬品管理システム１０Ａが本発明の薬品管理装置に、制御部１２Ａが本発明の検索手段に、キーボード１４及びマウス１６が本発明の指示入力手段に、ディスプレイ１８が本発明の表示手段に、ハードディスク２０が本発明の記憶手段に、電子天秤４０が本発明の計測手段に、各々相当する。
【００２６】
次に、図６〜図９を参照して、本第１実施形態に係る薬品管理システム１０Ａの作用を説明する。まず、図６を参照して、薬品管理システム１０Ａによって実行される薬品リスト登録処理について説明する。なお、図６は新規に薬品を薬品リストに登録する際にＣＰＵ２２によって実行される薬品リスト登録処理プログラムの流れを示すフローチャートであり、該プログラムは予めＲＯＭ２４の所定領域に記憶されている。
【００２７】
まず、同図のステップ２００では登録すべき薬品の容器に収容された状態での電子天秤４０の計量板への載置を指示する旨の表示をディスプレイ１８に行う。ユーザは、この表示がなされた場合、登録すべき薬品を容器ごと電子天秤４０の計量板上に載置する。すると、電子天秤４０は当該薬品の重量を計測し、該計測の結果得られた重量データを制御部１２Ａに対して送信する。
【００２８】
そこで、次のステップ２０２では電子天秤４０からの重量データの受信待ちを行い、受信された時点（肯定判定された時点）でステップ２０４へ移行する。
【００２９】
なお、計測対象とする薬品が液体である場合、ユーザによって当該薬品が電子天秤４０に載置された際に薬品の液面が揺れてしまうため、電子天秤４０から受信される重量データも時系列に徐々に減衰する振動を持った状態で受信されることになる。この場合、上記振動が終了するまで当該薬品の正確な重量を計測することができず、このために重量計測に長時間を要することになってしまう。
【００３０】
本実施の形態では、この場合に対応するために電子天秤４０から時系列に受信される重量データのうちの所定サンプリング数分について平均を取ることにより重量を推定することによって重量計測時間を短縮している。
【００３１】
ステップ２０４では上記登録すべき薬品の薬品名、購入日、及び含有量の入力を促す旨のメッセージをディスプレイ１８に表示し、次のステップ２０６ではこれらのデータのユーザからの入力待ちを行ない、入力された時点（肯定判定された時点）で次のステップ２０８へ移行する。
【００３２】
ステップ２０８では薬品リスト（図５も参照）に対して、上記ステップ２０６において入力された薬品名を登録すると共に、上記ステップ２０６において入力された購入日及び含有量と、上記ステップ２０２で受信された重量データに基づいて得られた重量とを当該薬品名に対応付けて記録する。
【００３３】
その後、ステップ２１０では本薬品リスト登録処理を終了するか否かをユーザからのキーボード１４やマウス１６を用いた指示入力に基づいて判定し、終了しない場合（否定判定の場合）は上記ステップ２００へ戻り、終了すると判定された時点（肯定判定された時点）で本薬品リスト登録処理を終了する。
【００３４】
次に、図７を参照して、薬品管理システム１０Ａによって実行される薬品使用開始処理について説明する。なお、図７は薬品の使用を開始する際にユーザからの指示入力に応じてＣＰＵ２２によって実行される薬品使用開始処理プログラムの流れを示すフローチャートであり、該プログラムは予めＲＯＭ２４の所定領域に記憶されている。
【００３５】
まず、同図のステップ２５０では使用者名（ユーザ名）の入力を促す旨のメッセージをディスプレイ１８に表示する。この表示が行われるとユーザは使用者名をキーボード１４を介して入力する。
【００３６】
そこで、次のステップ２５２では使用者名の入力待ちを行い、ユーザにより使用者名の入力が行われると（ステップ２５２が肯定判定されると）ステップ２５４へ移行する。
【００３７】
ステップ２５４では、上記ステップ２５２で入力された使用者名が薬品管理データ（図４も参照）に記憶されている使用許可者に含まれているか否かを判定することによって使用者が使用許可者であるか否かを判定し、使用許可者でない場合（否定判定の場合）はステップ２５６へ移行して使用不可である旨をディスプレイ１８に表示した後に本薬品使用開始処理を終了する。
【００３８】
一方、上記ステップ２５４で使用者が使用許可者であると判定された場合（肯定判定された場合）にはステップ３００に移行し、ユーザが使用しようとしている薬品の電子天秤４０の計量板への載置を指示する旨の表示をディスプレイ１８に行う。ユーザは、この表示がなされると、持ち出してきた薬品のうちの１つを容器ごと電子天秤４０の計量板上に載置する。すると、電子天秤４０は当該薬品の重量を計測し、該計測の結果得られた重量データを制御部１２Ａに対して送信する。
【００３９】
そこで、次のステップ３０２では電子天秤４０からの重量データの受信待ちを行い、受信された時点（肯定判定された時点）でステップ３０４へ移行する。
【００４０】
ステップ３０４では受信した重量データが示す重量により薬品リスト（図５も参照）を検索し、次のステップ３０６で検索結果をディスプレイ１８に表示する。
【００４１】
図８には、受信した重量が１．２３４ｋｇであった場合のステップ３０６による表示結果の一例が示されている。同図に示すように、この場合は「ＸＸＸＸＸ」、「ＮＮＮＮＮ」、「ＹＹＹＹＹ」、「ＵＵＵＵＵ」の４種類の薬品名が表示されると共に、分子量が表示されている。ここで、各薬品の分子量は薬品リストから得られた薬品名に対応する分子量を薬品関係データ（図３も参照）から読み出すことによって得ることができる。
【００４２】
次のステップ３０８では上記ステップ３０６によって表示された各薬品から何れか１つの選択を指示する旨のメッセージをディスプレイ１８に表示する。図８では、「１つを選択して下さい。」というメッセージを表示した場合が示されている。ユーザは、このメッセージがディスプレイ１８に表示されると、キーボード１４によるＮｏ．の指定や、マウス１６によるディスプレイ１８上の表示領域のポインティング指定によって目的とする薬品の選択結果を入力する。
【００４３】
そこで、次のステップ３１０ではユーザによる選択結果の入力待ちを行い、選択結果が入力された時点（肯定判定された時点）でステップ３１２へ移行する。なお、このとき、ユーザによって選択された薬品を示す情報（本実施の形態では薬品管理データ（図４も参照）に記憶されている保管場所）をＲＡＭ２６の所定領域に記憶しておく。
【００４４】
ステップ３１２では上記ステップ３１０で入力された選択結果が示す薬品が使用中である旨を当該薬品の薬品リストにおける「使用／不使用」領域に記憶し、次のステップ３１４では本薬品使用開始処理を終了するか否かをユーザからのキーボード１４やマウス１６を用いた指示入力に基づいて判定し、終了しない場合（否定判定の場合）は上記ステップ３００へ戻り、終了すると判定された時点（肯定判定された時点）で本薬品使用開始処理を終了する。
【００４５】
次に、図９を参照して、薬品管理システム１０Ａによって実行される薬品使用終了処理について説明する。なお、図９は薬品の使用を終了する際にユーザからの指示入力に応じてＣＰＵ２２によって実行される薬品使用終了処理プログラムの流れを示すフローチャートであり、該プログラムは予めＲＯＭ２４の所定領域に記憶されている。
【００４６】
まず、同図のステップ３５０では使用者名（ユーザ名）の入力を促す旨のメッセージをディスプレイ１８に表示する。この表示が行われるとユーザは使用者名をキーボード１４を介して入力する。
【００４７】
そこで、次のステップ３５２では使用者名の入力待ちを行い、ユーザにより使用者名の入力が行われると（ステップ３５２が肯定判定されると）ステップ３５４へ移行する。
【００４８】
ステップ３５４では、上記ステップ３５２で入力された使用者名が薬品管理データ（図４も参照）に記憶されている使用許可者に含まれているか否かを判定することによって使用者が使用許可者であるか否かを判定し、使用許可者でない場合（否定判定の場合）はステップ３５６へ移行して使用不可である旨をディスプレイ１８に表示した後に本薬品使用終了処理を終了する。
【００４９】
一方、上記ステップ３５４で使用者が使用許可者であると判定された場合（肯定判定された場合）にはステップ３５８に移行し、使用を終了する薬品の容器に収容された状態での電子天秤４０の計量板への載置を指示する旨の表示をディスプレイ１８に行う。ユーザは、この表示がなされた場合、使用を終了する薬品を容器ごと電子天秤４０の計量板上に載置する。すると、電子天秤４０は当該薬品の重量を計測し、該計測の結果得られた重量データを制御部１２Ａに対して送信する。
【００５０】
そこで、次のステップ３６０では電子天秤４０からの重量データの受信待ちを行い、受信された時点（肯定判定された時点）でステップ３６２へ移行する。
【００５１】
ステップ３６２では使用開始時の重量、すなわち、当該薬品に対応する薬品リストに記憶されている重量から上記ステップ３６０で受信した重量データが示す重量を減じることによって使用量を演算する。なお、この演算で得られる使用量はｇ（グラム）単位であるが、ここでは当該薬品が液体の場合には対応する薬品関係データ（図３も参照）の物性データの比重を用いてＬ（リットル）単位に換算したものを使用量として適用する。
【００５２】
次のステップ３６４では当該薬品に対応する薬品リストの含有量から、それまでの総使用量を減じることによって当該薬品の残量を演算する。なお、上記総使用量は、当該薬品に対応する薬品リストの使用状態領域に記憶されている、それまでの使用量の総和に上記ステップ３６２において演算された今回の使用量を加算することによって得ることができる。
【００５３】
次のステップ３６５では上記ステップ３６４において得られた残量が５％以下であるか否かを判定し、５％以下である場合（肯定判定の場合）はステップ３６６へ移行し、５％以下でない場合（否定判定の場合）にはステップ３７０へ移行する。
【００５４】
ステップ３６６では残量があるか否かをユーザからのキーボード１４やマウス１６を用いた指示入力に基づいて判定し、残量がない場合（否定判定の場合）はステップ３６８へ移行して当該薬品に対応するデータを薬品リストから削除した後にステップ３７４へ移行する。
【００５５】
一方、上記ステップ３６６において残量があると判定された場合（肯定判定された場合）にはステップ３７０へ移行して、上記ステップ３６２によって得られた使用量、上記ステップ３６０によって受信された重量データが示す重量、日付け、及び使用者名を当該薬品の薬品リストの所定領域に記憶し、更に次のステップ３７２において薬品リストの使用／不使用領域に当該薬品が使用されていない旨を記憶した後にステップ３７４へ移行する。
【００５６】
ステップ３７４では本薬品使用終了処理を終了するか否かをユーザからのキーボード１４やマウス１６を用いた指示入力に基づいて判定し、終了しない場合（否定判定の場合）は上記ステップ３５８へ戻り、終了すると判定された時点（肯定判定された時点）で本薬品使用終了処理を終了する。
【００５７】
以上のような、薬品リスト登録処理、薬品使用開始処理、及び薬品使用終了処理を各処理発生時に実行することによって、在庫量や使用量等のデータを正確に記録することができる。そして、これらのデータを利用することによって、一例として次のような処理を行うことができる。
・定期的な劇毒物の在庫量の調査。
・定期的な危険物保有量の調査。
・未使用状態の薬品の検索による棚卸し。
・在庫薬品の一覧表示。
・消防法分類による在庫量の調査。
【００５８】
なお、本発明者らによって本第１実施形態に係る薬品管理システム１０Ａを用いて３Ｌ（リットル）瓶から１０ｇ（１０ｍＬ）瓶まで約５００本の薬品の管理を、在庫量及び使用量を０．１ｇ単位として行ったところ、毒劇物の在庫量管理、消防法の可燃性物質量管理、及び棚卸しを支障なく実施することができた。なお、ここでは、電子天秤４０としてメトラー・トレド株式会社製のＰＭ６０００型電子天秤を用いた。
【００５９】
以上詳細に説明したように、本第１実施形態に係る薬品管理システムでは、管理対象とする薬品の容器を含めた重量を当該容器内の薬品名を特定できる情報に対応付けて複数記憶しておき、検索対象とする薬品の容器を含めた重量を計測して、上記記憶しておいた複数の重量から、計測した重量と同一又は近傍の重量を検索し、該重量に対応する薬品名を表示しているので、バーコードラベルやＩＤタグ等の薬品を識別するための部材を要することなく、ユーザは表示された薬品名を参照することによって検索対象とする薬品の薬品名を得ることができ、低コストに薬品を管理することができる。
【００６０】
また、本第１実施形態に係る薬品管理システムでは、１つの電子天秤によって計測される各薬品の重量に基づいて多数の薬品の在庫管理が可能となるので、各薬品の収納部の各々に重量検出用のセンサを配設する技術に比較して、低コストに薬品を管理することができる。
【００６１】
更に、本第１実施形態に係る薬品管理システムでは、複数の薬品名がディスプレイに表示された場合には、表示された複数の薬品名から少なくとも１つを選択するための指示がキーボード１４、マウス１６等によって入力されるので、検索結果が複数存在する場合であってもユーザによる判断に基づいて確実に検索対象とする薬品を特定することができる。
【００６２】
〔第２実施形態〕
まず、図１０及び図１１を参照して、本第２実施形態に係る薬品管理システム１０Ｂの構成について説明する。なお、図１０及び図１１における図１及び図２と同様の部分については図１及び図２と同一の符号を付して、その説明を省略する。
【００６３】
図１０及び図１１に示すように、本第２実施形態に係る薬品管理システム１０Ｂは、上記第１実施形態に係る薬品管理システム１０Ａの電子天秤４０に代えて重量用電子天秤４０Ａ及び軽量用電子天秤４０Ｂを用いると共に、薬品保管庫（図示省略）の鍵を保管するキーボックス５０を用いた点が上記第１実施形態と異なっている。
【００６４】
図１１に示すように、キーボックス５０はＩ／Ｆ２８に接続されており、ＣＰＵ２２は必要に応じてキーボックス５０の施錠／解錠を制御することができる。
【００６５】
薬品管理システム１０Ｂが本発明の薬品管理装置に、制御部１２Ｂが本発明の検索手段に、重量用電子天秤４０Ａ及び軽量用電子天秤４０Ｂが本発明の計測手段に、各々相当する。
【００６６】
以上のように構成された本第２実施形態に係る薬品管理システム１０Ｂでは、上記第１実施形態における薬品リスト登録処理、薬品使用開始処理、及び薬品使用終了処理の各処理において電子天秤への載置指示の表示を行う（ステップ２００、ステップ３００、ステップ３５８）際に、所定重量（本第２実施形態では５００ｇ）を超える薬品については重量用電子天秤４０Ａに載置し、上記所定重量以下である薬品については軽量用電子天秤４０Ｂに載置することを指示する旨の表示を行う。これによって、薬品の重量に応じた適切な精度で重量を計測することを可能としている。
【００６７】
また、本第２実施形態に係る薬品管理システム１０Ｂでは、上記第１実施形態における薬品使用開始処理及び薬品使用終了処理の各処理における使用者が使用許可者であるか否かの判定処理（ステップ２５４、ステップ３５４）の結果、使用許可者である場合のみキーボックス５０の錠を解錠する制御を行う。これによって、使用許可者以外の薬品の薬品保管庫からの持ち出しを防止することができる。
【００６８】
なお、本発明者らによって本第２実施形態に係る薬品管理システム１０Ｂを用いて薬品の管理を、一斗缶等重量のある薬品の重量を重量用電子天秤４０Ａを用いて１ｇ単位で測定し、５００ｇ（又は５００ｍＬ）以下の薬品については軽量用電子天秤４０Ｂを用いて０．０１ｇ単位で測定して行ったところ、在庫量管理及び使用量管理を支障なく行うことができた。なお、ここでは、重量用電子天秤４０Ａ及び軽量用電子天秤４０Ｂとして各々メトラー・トレド株式会社製のＰＫ３０Ｋ型電子天秤及びＰＭ２０００型電子天秤を用いた。
【００６９】
以上説明したように、本第２実施形態に係る薬品管理システムでは、上記第１実施形態と同様の効果を奏することができると共に、電子天秤として計測すべき薬品の重量に応じた２つの電子天秤を適用しているので、適切な精度で重量を計測することができ、かつ使用許可者以外には薬品保管庫の鍵を解錠することができないように構成しているので、薬品に対するセキュリティーを向上することができる。
【００７０】
なお、本第２実施形態では、本発明の計測手段として重量用電子天秤４０Ａ及び軽量用電子天秤４０Ｂの２台の電子天秤を適用した場合について説明したが、本発明はこれに限定されるものではなく、３台以上の電子天秤（例えば、軽量用、中量用、重量用の３台の電子天秤）を適用する形態とすることもできる。この場合は、薬品の重量を、より適切な精度で計測することが可能となる。
【００７１】
〔第３実施形態〕
まず、図１２及び図１３を参照して、本第３実施形態に係る薬品管理システム１０Ｃの構成について説明する。なお、図１２及び図１３における図１及び図２と同様の部分については図１及び図２と同一の符号を付して、その説明を省略する。
【００７２】
図１２及び図１３に示すように、本第３実施形態に係る薬品管理システム１０Ｃは、磁気カードリーダ４２を用いると共に、施錠型の薬品保管庫５２を用いた点が上記第１実施形態と異なっている。
【００７３】
図１３に示すように、磁気カードリーダ４２はＩ／Ｆ２８に接続されており、ＣＰＵ２２は磁気カードリーダ４２によって読み取られた磁気カードの情報を受信することができる。また、薬品保管庫５２もまたＩ／Ｆ２８に接続されており、ＣＰＵ２２は必要に応じて薬品保管庫５２の施錠／解錠を制御することができる。
【００７４】
薬品管理システム１０Ｃが本発明の薬品管理装置に、制御部１２Ｃが本発明の検索手段に、各々相当する。
【００７５】
以上のように構成された本第３実施形態に係る薬品管理システム１０Ｃでは、上記第１実施形態における薬品使用開始処理及び薬品使用終了処理の各処理における使用者名の入力指示表示処理（ステップ２５０、ステップ３５０）を、使用者が所持しているＩＤカードとして機能する磁気カードの磁気カードリーダ４２へのパスの指示及び予め定められたパスワードの入力の指示の各指示を示す旨の表示を行う処理とし、磁気カードの磁気カードリーダ４２へのパスによって磁気カードリーダ４２から送信される磁気カードの情報の受信待ち、及び上記パスワードの入力待ちを行う。
【００７６】
そして、使用許可者か否かの判定処理（ステップ２５４、ステップ３５４）では、磁気カードリーダ４２から受信された情報に基いて特定される使用者名が、薬品管理データに記憶されている使用許可者に含まれると共に、入力されたパスワードが予め定められたパスワードと一致する場合に使用許可すべきものと判定し、この場合にのみ薬品保管庫５２の鍵を解錠する制御を行う。これによって、使用許可者以外の薬品の薬品保管庫からの持ち出しを防止することができる。
【００７７】
以上説明したように、本第３実施形態に係る薬品管理システムでは、上記第１実施形態と同様の効果を奏することができると共に、使用許可者以外には薬品保管庫の鍵を解錠することができないように構成しているので、薬品に対するセキュリティーを向上することができる。
【００７８】
なお、上記各実施形態における薬品関係データ、薬品管理データ、薬品リストの構造は、図３〜図５に示すものに限定されるものではないことは言うまでもない。例えば、図４の薬品管理データにおける使用許可者は全ての薬品について同一人物が適用されているが、各薬品毎に使用許可者を設定する形態とすることもできる。また、薬品管理データを薬品リストに含めて記録する形態とすることもできる。
【００７９】
また、上記各実施形態では、各々薬品管理装置を単独で構成する場合について説明したが、本発明はこれに限定されるものではなく、例えば、図１４（Ａ）に示すように、各実施形態に係る薬品管理システムを薬品を使用かつ保管する個別の実験室等に配置すると共に、各薬品管理システムをファイルサーバーが接続されたローカル・エリア・ネットワークに接続する形態とすることもできる。この場合、薬品リストをファイルサーバーにも記録することにより、各薬品管理システムによって全体の薬品の使用量等を確認することができる。また、このような形態において、ファイルサーバーによって使用許可者のデータや薬品に関する基礎データを集中管理することにより、各データの変更や追加を簡易に行うことができる。また、このようにネットワーク接続することによって広範なエリア内での在庫量管理、使用量管理、使用者の管理等の各種管理を効率よく行うことができる。更に、図１４（Ｂ）に示すように、図１４（Ａ）に示す形態に対して薬品購入システムを付加する形態とすることもできる。
【００８０】
【発明の効果】
以上詳細に説明したように、発明に係る薬品管理装置によれば、管理対象とする薬品の容器を含めた重量を当該容器内の薬品名を特定できる情報に対応付けて複数記憶しておき、検索対象とする薬品の容器を含めた重量を計測して、上記記憶しておいた複数の重量から、計測した重量と同一又は近傍の重量を検索し、該重量に対応する薬品名を表示し、前記検索対象とする薬品の使用を終了する際に計測した前記重量を、記憶されている当該薬品の重量として記憶しているので、バーコードラベルやＩＤタグ等の薬品を識別するための部材を要することなく、ユーザは表示された薬品名を参照することによって検索対象とする薬品の薬品名を得ることができ、低コストに薬品を管理することができる、という効果が得られる。
【図面の簡単な説明】
【図１】  第１実施形態に係る薬品管理システムの外観を示す斜視図である。
【図２】  第１実施形態に係る薬品管理システムの構成を示すブロック図である。
【図３】  実施の形態に係る薬品関係データの構成例を示す概略図である。
【図４】  実施の形態に係る薬品管理データの構成例を示す概略図である。
【図５】  実施の形態に係る薬品リストの構成例を示す概略図である。
【図６】  実施の形態に係る薬品管理システムによって実行される薬品リスト登録処理プログラムの流れを示すフローチャートである。
【図７】  実施の形態に係る薬品管理システムによって実行される薬品使用開始処理プログラムの流れを示すフローチャートである。
【図８】  薬品使用開始処理プログラムによる検索結果の表示例を示す概略図である。
【図９】  実施の形態に係る薬品管理システムによって実行される薬品使用終了処理プログラムの流れを示すフローチャートである。
【図１０】  第２実施形態に係る薬品管理システムの外観を示す斜視図である。
【図１１】  第２実施形態に係る薬品管理システムの構成を示すブロック図である。
【図１２】  第３実施形態に係る薬品管理システムの外観を示す斜視図である。
【図１３】  第３実施形態に係る薬品管理システムの構成を示すブロック図である。
【図１４】  その他の実施形態の構成例を示すブロック図である。
【符号の説明】
１０Ａ、１０Ｂ、１０Ｃ    薬品管理システム（薬品管理装置）
１２Ａ、１２Ｂ、１２Ｃ    制御部（検索手段）
１４    キーボード（指示入力手段）
１６    マウス（指示入力手段）
１８    ディスプレイ（表示手段）
２０    ハードディスク（記憶手段）
２２    ＣＰＵ
４０    電子天秤（計測手段）
４０Ａ    重量用電子天秤（計測手段）
４０Ｂ    軽量用電子天秤（計測手段）
４２    磁気カードリーダ
５０    キーボックス
５２    薬品保管庫
【図１】
0003826675.tif 000002
【図２】
0003826675.tif 000003
【図３】
0003826675.tif 000004
【図４】
0003826675.tif 000005
【図５】
0003826675.tif 000006
【図６】
0003826675.tif 000007
【図７】
0003826675.tif 000008
【図８】
0003826675.tif 000009
【図９】
0003826675.tif 000010
【図１０】
0003826675.tif 000011
【図１１】
0003826675.tif 000012
【図１２】
0003826675.tif 000013
【図１３】
0003826675.tif 000014
【図１４】
0003826675.tif 000015